(57)【要約】知られるのは、それぞれの接触面上の多数の接触点（９）において互いに接触している、多数の導電性加熱ストランド（１−４）を備えた、加熱に適する、導電性織物である。異なる組み立て状況および負荷状態においてその抵抗が非常に変動するという問題がある。この課題を解決するために、加熱ストランド（１−４）の少なくとも２つが少なくとも１つの接触点（９）に固定を介して、相対的に固定されることが提案され、それによって接触面の位置および／または大きさが織物上への機械的作用においても実質上一定である。
2004517443.tif 000002
【特許請求の範囲】
【請求項１】
多数の接触点（９）においてそれぞれの接触面を介して互いに接触している、多数の導電性加熱ストランド（１−４）を備えた加熱に適する、導電性織物において、少なくとも１つの接触点（９）の前記導電性加熱ストランド（１−４）の少なくとも２つが固定具を介して互いに固定され、それにより前記接触面の位置および／または大きさが前記織物上の機械的な作用にさいして実質上一定であることを特徴とする導電性織物。
【請求項２】
前記導電性加熱ストランド（１−４，８，８’）の固定が関連する導電性加熱ストランド（１−４，８，８’）の結び目（６）によって前記接触点（９，１０）において互いに作られることを特徴とする請求項１に記載の装置。
【請求項３】
前記導電性加熱ストランド（１−４，８，８’）の固定のために、追加の固定媒体（５）が設けられることを特徴とする請求項２に記載の装置。
【請求項４】
前記固定媒体は少なくとも１つの補助繊維（５）を有し、この補助繊維は、関連の導電性加熱ストランド（１−４，８，８’）を前記接触点（９，１０）において互いに固定−とくに結び合わせることを特徴とする請求項３に記載の装置。
【請求項５】
織物加熱装置の前記導電性加熱ストランド（１−４）の電気的接触のために、多数の電極ストランド（８，８’）が織物中に配置されることを特徴とする前記請求項のいずれか１項に記載の装置。
【請求項６】
多数の電極ストランド（８，８’）の少なくとも部分集合が互いに間隔が置かれそして実質上同一の広がり方向に延びて配置されることを特徴とする請求項５に記載の装置。
【請求項７】
前記電極ストランド（８，８’）の間隔が互いに０．５ｃｍないし４０ｃｍ、とくに２ｃｍないし８ｃｍとなることを特徴とする請求項５または６に記載の装置。
【請求項８】
接触点（１０）が前記電極ストランド（８，８’）および導電性加熱ストランド（１−４）によって固定されることを特徴とする前記請求項５ないし７のいずれか１項に記載の装置。
【請求項９】
規則的な間隔において、それぞれ電極ストランド（８，８’）は導電性加熱ストランド（１−４）に代えて織物に設けられることを特徴とする前記請求項５ないし８のいずれか１項に記載の装置。
【請求項１０】
前記電極ストランド（８，８’）が前記導電性加熱ストランド（１−４）内に波または正弦波状に配置されることを特徴とする前記請求項５ないし９のいずれか１項に記載の装置。
【請求項１１】
前記織物が実質上前記電極ストランド（８，８’）および前記導電性加熱ストランド（１−４）によって形成され、そして前記織物がメリヤスであることを特徴とする前記請求項のいずれか１項に記載の装置。
【請求項１２】
前記電極ストランド（８，８’）がそれぞれ金属フィラメントおよび／または金属線からなる少なくとも１つの繊維を有することを特徴とする前記請求項のいずれか１項に記載の装置。
【請求項１３】
前記導電性加熱ストランド（１−４）が少なくとも１つの炭素繊維をまたは／およびグラファイトで充填されたセルロース繊維および／または導電性物質繊維を有することを特徴とする前記請求項のいずれか１項に記載の装置。
【請求項１４】
前記補助繊維（５）がポリエステルから作られることを特徴とする前記請求項のいずれか１項に記載の装置。
【発明の詳細な説明】
【０００１】
（技術分野）
本発明は、請求項１の上位概念による織物加熱装置に関する。
【０００２】
（発明の背景）
織物加熱装置は基本的には知られている。これらは、熱に対する電気抵抗体として利用される。織物または繊維の導電性は、例えば、プラスチック繊維中の繊維の金属層によってまたはグラファイト粒子からなる封入体によって保証される。この種の過熱装置用織物としてとくに布地またはメリヤスが利用される。
【０００３】
温度調整は普通、織物加熱装置の電圧および／または電流の制御に基づいて行われる。それゆえ、正確なかつ信頼できる温度調整が織物または織物加熱装置の電気抵抗のできるだけ正確な知識を必要とする。しかしながら、実際には、この要求はしばしば不十分にのみ満たされることを示している。従来技術の加熱装置の抵抗値は組み込み状況または利用の場合および負荷の状態に応じてそれぞれの状況で非常に不安定でありかつとくに組み込まれていない加熱織物の抵抗値から逸脱する。
【０００４】
（発明の開示）
本発明の目的は、異なる組み込み状況または負荷の状態においても実質上一定である、定義された抵抗を有する織物加熱装置を提供することにある。
【０００５】
課題の解決のために、本発明による織物加熱装置は請求項１の特徴によって提案される。さらに他の好都合な形状は従属の請求項を援用することができる。
【０００６】
本発明による織物加熱装置において、導電性加熱ストランドの接触点は、ストランドの接触点および接触点の相対的な位置が加熱織物の運動および負荷においても実質上不変であるように固定される。機械的な影響により、そのさい織物形状の一時的または永続的弾性または可塑的変形または変更を導きかつ織物の安定限界以下に横たわる。加熱織物へのどのような力の作用も理解される。言い換えれば、織物または織物構造は力の作用によってかなり破壊される。過熱ストランドによって織物内に形成された抵抗網の全体抵抗は接触点の固定によって織物の運動および負荷にさいして実質上不変のままである。加熱ストランドは、好ましくは、少なくとも１つの導電性繊維を有する多数の織物繊維を含むが、また個々のまたは多数の導電性繊維の形状において形成され得る。
【０００７】
課題の解決は、従来の過熱織物において、引っ張り負荷、折り畳みまたは同様な形状変化のためにここの導電性過熱ストランドまたは繊維間の接触点の位置かつまた接触面の大きさが変化するので、抵抗は異なる組み込み状況および負荷状態において変化するということに基礎を置いている。加熱織物のできるだけ一定の全体抵抗を達成するために、それゆえ、個々の繊維の接触点および接触面が織物の運動および負荷にさいしても互いに不変でなければならない。本発明による織物加熱装置は、織物の２つの隣接する加熱ストランドが互いに一定の距離においてかついつ低の接触面と互いに接続される、すなわち、織物のストランドまたは繊維の伸長にさいして繊維／ストランドの接触面が伸長に対応して動かされるということによって際立っている。それにより、異なる組み込み条件においても加熱織物の一定の全体抵抗を保証する定義された、不変の接触点が達成される。
【０００８】
本発明の好適な実施の形態において、２つの隣接する加熱ストランドが接触点において互いに結合される。そのさい、結合によって達成された電圧が加熱ストランドの近接または接触に関して織物の負荷のために力を存続しかつそれによりストランドの接触点の位置および接触面の変化が阻止されることが重要である。
【０００９】
結合による２本の繊維の結合方法は織物産業においてマキゼット（Ｍａｑｕｉｓｅｔｔｅ）技術として知られかつチュール、カーテン当の製造に利用される。好都合な技術および方法で、本発明による加熱織物はそれにより従来の織機により製造され得る。
【００１０】
本発明のさらに他の好都合な実施の形態において、接触点の固定のために追加の固定手段が設けられる。かかる固定手段は、クリップ、留め金または接着剤のごとき、ストランドまたは繊維の永続的な結合のための手段を含んでいる。しかしながらまた、繊維／ストランドは溶接または押し出しによってそれらの接触点において接続され得る。利用される織物、また材質、布地またはメリヤス当の技術、または材料に応じて、この模範的に言及される固定技術は、製造費用またはコスト、負荷能力、すなわち、得ようとされた寿命、ならびに過熱織物の材料特性、例えば、弾性および変形可能性に関する利点を呈する。
【００１１】
本発明の好適な形状において、加熱ストランドの接触点は固有の結合繊維によって固定される。そのさい、それぞれ２本の加熱ストランドが結合繊維により好ましくは結合される。しかしまた、例えば、結合繊維とのストランドのらせん状巻き付けのごとき、他の形状および／または力閉止の結合形状も可能である。結合繊維との結合のために、そのさい、結合繊維によって導入された電圧が両方のストランドを、より遅い負荷がそれに反作用するように、強力に押し付ける。
【００１２】
本発明の好適長手方向他の形成において、加熱織物内に電極ストランドまたは繊維が作用している。電極ストランドは加熱ストランドより明らかに僅かな抵抗を有しかつ加熱織物の接触に使用する。詳細には、電極ストランドは少なくとも加熱織物のそれぞれの対向端部に作用しかつ加熱ストランドの有効なかつコスト的に十分な接触を好都合に可能にする。
【００１３】
本発明のさらに他の好適な形成において、多数の電極ストランドの少なくとも部分集合が互いに間隔が置かれそして実質上同一の広がり方向に延びて配置されている。好都合な技術および方法において、電極ストランド間の間隔、すなわち、２本の電極ストランド間の電気的に橋絡すべき間隔が減少させられることによって達成される。電極繊維が加熱織物の対向端部のみに設けられる大きな間隔と比較すると、この間隔は多数の小さい間隔に分割される。それにより、２つの隣接する電極ストランド間に横たわる抵抗は対応して減少させられる。設けられた電極ストランドを有する本発明による加熱装置は好都合な技術および方法においてしたがって低い電圧で駆動され得る。不変の電圧にさいして、他方で、より高いオームの加熱ストランドが挿入され得る。
【００１４】
本発明の好適な形状において、個々の電極ストランド間の間隔は互いに０．５ｃｍないし４０ｃｍ、とくに２ｃｍないし８ｃｍとなる。加熱ストランドの選択に応じて、本発明による加熱織物は、比較的僅かな電圧によるかかる電極ストランド−間隔にさいして、とくに自動車にさいして普通の電圧値で運転させる。この織物過熱装置はそれによりとくに、例えば座席の過熱のごとき自動車の利用に適する。
【００１５】
好適なさらに他の構成において、電極ストランドおよび導電性加熱ストランドの接触点が固定して実施される。そのさい、加熱ストランドの接触点の固定に利用されるのと同一の固定が実施される。好都合な接触において、加熱織物上に、過熱導体との確実な接触を保証するために、５または７倍の重複において並んで配置される電極ストランドが縫い付けられる。好都合な他の構成は加熱ストランドと電極ストランドとの間の電気的接触が、結合または接触点の固定により、例えば結び目または補助繊維により、確実にかつ信頼できるように製造されるので、１または２本のストランド上の電極ストランドの数の減少を許容する。
【００１６】
本発明の好適な形成において、規則的な間隔において、それぞれ電極ストランドは加熱ストランドに代えて織物に設けられる。それによって、電極ストランドの作用は、これが過熱ストランドと同様な技術および方法で作用されるので、簡素化される。好都合な技術および方法において、そのさい、また、電極ストランドおよび加熱ストランドの接触点の固定が加熱ストランドの接触点の固定に対応して互いに達成される。
【００１７】
好適な実施の形態において、電極ストランドは加熱ストランド内に波または正弦波状に配置される。かかる構成は、直線的に配置された電極が高い磨耗を受け、すなわち、容易に裂けまたは破れるので、高い電極の寿命を要求する。
【００１８】
本発明のさらに他の利点および構成は説明および添付の図面から明らかになる。
【００１９】
理解されることは、上記のかつ以下で説明すべき特徴は、本発明の枠を離れることなく、それぞれ付与された組み合わせだけでなく、他の組み合わせまたは単独で利用可能であるということである。
【００２０】
本発明は１実施例に基づいて図面に略示されかつ以下で図面において関連して詳細に説明される。
【００２１】
（発明を実施するための最良の形態）
図１は、メリヤスの形において存在する本発明による加熱織物の断面を示す拡大図である。メリヤスは、基本的には、ストランドまたは繊維の３つの異なる技術から組織される。参照符号１ないし４ならびに８および８’は電流導体として使用するストランドを示している。詳細には、メリヤスの加熱ストランド１ないし４および電極ストランド８および８’である。それに対して、参照符号５は、導電性ストランド１ないし４，８，８’の接触点９，１０の固定結合を保証する結合繊維を示している。文字Ｓにより示した矢印は、電極ストランド８および８’において、対応して向けられた電圧が付与されるとき加熱織物を通る電流流れの方向を示している。
【００２２】
加熱織物の電気的接続のために、普通の方法で織物に貼り付けられ、縫い付けられ、リベット止めされまたは専門家により知られる他の手段により導電性で固定される、電極が利用される。
【００２３】
本発明の図１および図２に示した好適な実施例において、電極ストランド８，８’は好都合に加熱織物に作用する。電極ストランド８，８’は、好ましくは、それぞれ加熱繊維／ストランドに代えて規則的な間隔において織物内に設けられ、それは簡単な製造を保証する。図示の理由から、単に２つの電極ストランド８，８’を示している。それらはしかしながら対応して前方に本発明による織物過熱装置に配置されている。本発明による接触点９，１０の固定は、加熱ストランド１ないし４および電極ストランド８，８’との間の電気的接触が固定によって確保されるので、それぞれ１本または２本のストランド上の接続点における電極ストランド８，８’の数の減少を許容する。図１において、接続点にはそれぞれ固有の電極ストランド８，８’が設けられる。
【００２４】
異なる接続点の電極ストランド８，８’間の間隔は、好ましくは、２ｃｍないし８ｃｍになる。
【００２５】
かかる比較的僅かなかつ同一の接触間隔は、１つまたは多くても２つの電極ストランド８，８’により確実な電気的接触が得られるので、達成される。設けられた
電極ストランド８，８’の僅かな間隔に基づいて、本発明による織物加熱装置はわずかな電圧により、例えば、１０Ｖないし５０Ｖの範囲において運転のために設けられることができる。これは、とくに自動車の利用に好都合である。
【００２６】
電極ストランド８，８’は加熱ストランド内に波または正弦波状に配置され、そのさい電極ストランド８，８’の高い寿命が要求される。電極８，８’の屈曲形状の範囲は織物の変形を、それにより高い磨耗を受け、すなわち容易に裂けまたは破られる、直線状に配置した電極として容易に収容することができる。
【００２７】
電極ストランド８，８’は、例えば、銅、アルミニウム、金または銀またはかかる層を備えた材料から作られかつ加熱ストランド１ないし４より明らかに僅かな抵抗を有している。電極ストランド８，８’の抵抗は、好ましくは、０．１オーム／ｍとなる。これに対して加熱ストランド１ないし４として設けたストランドはおよそ３００オーム／ｍの抵抗を有している。加熱ストランドとして例えば、グラファイトで充填される、セルロース繊維が利用される。
【００２８】
加熱ストランド１ないし４または加熱ストランド４と電極ストランド８，８’との間の接触点９または１０は図示された実施例においては結合繊維５によって固定され、そのさい結合は図２に詳細に示されている。
【００２９】
図２は図１の拡大詳細図を示している。図２には２つの固定技術が結合繊維５によって加熱ストランド１ないし４の接触点９の例において示される。しかしながら、結合繊維５は同一技術および方法で加熱ストランド１ないし４を電極ストランド８，８’と接続することができる。
【００３０】
図２の文字Ａで示される部分において、加熱ストランド１ないし４は結合繊維５によって結び目６により確実に互いに固定されている。結合のために、瞬間的にまたは連続的に加熱ストランド１ないし４のまわりに結び付けられる、１または多数の結合繊維５が設けられ得る。図２の範囲Ｂにおいて、さらに他の結合技術が示され、そのさい結合繊維５は加熱ストランド１ないし４の接触点９を螺旋状の巻き付け７によって確実に固定する。
【００３１】
結合繊維５としては例えば、ポリエチレン材料が適する。結合繊維は、また、それ自体導電性を備えることができる。
【００３２】
本発明による加熱織物は、また織物の運動または負荷にさいして十分に不変である全体抵抗によって際立っている。さらに、本発明による加熱織物はまたさらに他の加工を可能にする。加熱織物は円筒品として作られることができかつ要求または組み込みに対応して個々の織物片に切断され得る。織り込まれた電極ストランドの上に、切断された過熱織物が、例えば各々第２の電極ストランドに１つの極が割り当てられることによって、簡単な技術および方法で電気的に接続され得る。
【００３３】
本発明による加熱織物は、好都合な技術および方法において非常に可変のメッシュ開口で作られ、そのさい異なる組み込み条件が考慮されることができかつ材料節約が実現される。
【図面の簡単な説明】
【図１】
メリヤスの形において本発明による加熱織物を略示する拡大図である。
【図２】
上下の加熱ストランドまたは加熱ストランドと電極ストランドとの間の異なる結合技術を有する図１のメリヤスを示す詳細図である。
【国際公開パンフレット】
2004517443.tif 000003
2004517443.tif 000004
2004517443.tif 000005
2004517443.tif 000006
2004517443.tif 000007
2004517443.tif 000008
2004517443.tif 000009
2004517443.tif 000010
2004517443.tif 000011
2004517443.tif 000012
2004517443.tif 000013
2004517443.tif 000014
2004517443.tif 000015
【国際調査報告】
2004517443.tif 000016
2004517443.tif 000017
2004517443.tif 000018
2004517443.tif 000019